(57)【要約】【課題】煩雑な操作を行うことなくユーザの希望する静止画データを抽出し写真アルバムとして出力することのできる画像形成装置を提供する。【解決手段】動画像データから、所定のフレームレートで静止画データを作成する作成手段と、ユーザから、所定の画像の検出指示を受け付ける第１受付手段と、静止画データから、検出指示に合致する静止画データを検索する検索手段と、検索手段により検出された検出指示に合致する静止画データを表示する表示手段と、ユーザから、表示手段が表示した前記静止画データのうちから所望の静止画データの選択を受け付ける選択受付手段と、選択受付手段を介してユーザにより選択された静止画データを動画データに対するアルバムとして出力する出力手段とを備えた。【選択図】        図３
2010068347.tif 000002
【特許請求の範囲】
【請求項１】
動画データから、所定のフレームレートで静止画データを作成する作成手段と、
前記作成手段により作成された複数の前記静止画データを記憶する記憶手段と、
ユーザから、所定の画像の検出指示を受け付ける第１受付手段と、
前記記憶手段に記憶されている前記静止画データから、前記第１受付手段が受け付けた前記検出指示に合致する前記静止画データを検索する検索手段と、
前記検索手段により検出された前記検出指示に合致する一または複数の前記静止画データを表示する表示手段と、
ユーザから、前記表示手段が表示した前記一または複数の前記静止画データのうちから所望の静止画データの選択を受け付ける選択受付手段と、
前記選択受付手段を介してユーザにより選択された前記静止画データを前記動画データに対するアルバムとして出力する出力手段と
を備えたことを特徴とする画像形成装置。
【請求項２】
前記第１受付手段は、希望の人物を検出することを指示する前記検出指示を受け付け、
前記検索手段は、パターンマッチングにより前記人物を含む静止画データを検索することを特徴とする請求項１に記載の画像形成装置。
【請求項３】
前記第１受付手段は、前記人物の特定の表情を検出することを指示する前記検出指示を受け付け、
前記検索手段は、パターンマッチングにより前記特定の表情を含む静止画データを検索することを特徴とする請求項１または２に記載の画像形成装置。
【請求項４】
ユーザから前記静止画データへの所定のコメントの付与指示を受け付ける第２受付手段をさらに備え、
前記第２受付手段が前記付与指示を受け付けた場合に、前記選択受付手段を介してユーザにより選択された前記静止画データのうち、前記所定の画像の描画される領域以外の領域に前記コメントを描画するコメント付与手段と
をさらに備えたことを特徴とする請求項２または３に記載の画像形成装置。
【請求項５】
前記第１受付手段は、動画データにおける時間範囲を指定する前記検出指示を受け付け、
前記第１受付手段が前記時間範囲を指定する前記検出指示を受け付けた場合に、前記動画データに含まれる動画作成日時と、前記動画データ中での各静止画データの先頭フレームからのフレーム数に基づいて、各静止画データの撮影日時を特定する日時特定手段をさらに備え、
前記検索手段は、前記日時特定手段により特定された各静止画データの撮影日時に基づいて、前記検出指示に示される前記時間範囲に含まれる静止画データを検索することを特徴とする請求項１に記載の画像形成装置。
【請求項６】
前記動画データに含まれる動画作成日時と、前記動画データ中での各静止画データの先頭フレームからのフレーム数に基づいて、各静止画データの撮影日時を特定する日時特定手段と、
前記撮影日時を前記静止画データに描画する描画手段と
をさらに備え、
前記出力手段は、前記描画手段により撮影日時の描画された前記静止画データを前記アルバムとして出力することを特徴とする請求項１に記載の画像形成装置。
【請求項７】
静止画データの印刷ページに文字や画像を付与するレイアウト指示を受け付ける第３受付手段と、
前記第３受付手段が前記レイアウト指示を受け付けた場合に、前記印刷ページ中の前記静止画データと前記文字や画像とが重ならないサイズに前記静止画データの画像サイズを調整するサイズ調整手段と
をさらに備えたことを特徴とする請求項１に記載の画像形成装置。
【請求項８】
画像形成装置で実行される画像形成方法であって、
前記画像形成装置は、記憶手段を備え、
作成手段が、動画像データから、所定のフレームレートで静止画データを作成し、記憶手段に記憶する作成ステップと、
第１受付手段が、ユーザから、所定の画像の検出指示を受け付ける第１受付ステップと、
検索手段が、前記記憶手段が記憶している前記静止画データから、前記第１受付ステップにおいて受け付けた前記検出指示に合致する前記静止画データを検索する検索ステップと、
表示手段が、前記検索ステップにおいて検出された前記検出指示に合致する一または複数の前記静止画データを表示する表示ステップと、
選択受付手段が、ユーザから、前記表示ステップにおいて表示された前記一または複数の前記静止画データのうちから所望の静止画データの選択を受け付ける選択受付ステップと、
出力手段が、前記選択受付ステップにおいてユーザにより選択された前記静止画データを前記動画データに対するアルバムとして出力する出力ステップと
を有することを特徴とする画像形成方法。
【請求項９】
コンピュータに実行させるための画像形成プログラムであって、
前記コンピュータは、記憶手段を備え、
動画像データから、所定のフレームレートで静止画データを作成し、記憶手段に記憶する作成ステップと、
ユーザから、所定の画像の検出指示を受け付ける第１受付ステップと、
前記記憶手段が記憶している前記静止画データから、前記第１受付ステップにおいて受け付けた前記検出指示に合致する前記静止画データを検索する検索ステップと、
前記検索ステップにおいて検出された前記検出指示に合致する一または複数の前記静止画データを表示する表示ステップと、
ユーザから、前記表示ステップにおいて表示された前記一または複数の前記静止画データのうちから所望の静止画データの選択を受け付ける選択受付ステップと、
前記選択受付ステップにおいてユーザにより選択された前記静止画データを前記動画データに対するアルバムとして出力する出力ステップと
をコンピュータに実行させるための画像形成プログラム。
【発明の詳細な説明】
【技術分野】
【０００１】
本発明は、動画から切り取った静止画を出力する画像形成装置、画像形成方法および画像形成プログラムに関するものである。
【背景技術】
【０００２】
従来、デジタルカメラなどで撮影された動画データから写真アルバムを作成する場合には、動画データを再生し、ユーザが希望するシーンを特定し、このシーンを静止画として出力し、アルバムとして編集しなければならなかった。写真アルバムの作成をサポートする技術としては、例えば、特許文献１には、動画データを構成する複数のフレーム画像を表示し、ユーザに所望のフレーム画像を選択させる技術が開示されている。
【０００３】
また、写真アルバムを自動生成する技術としては、例えば特許文献２には、音声付動画データから注目音声のあるフレームを特定し、印刷候補として抽出する写真アルバム作成方法が開示されている。
【０００４】
【特許文献１】特開２００６−６０６４８号公報
【特許文献２】特開２００６−３３３０６５号公報
【発明の開示】
【発明が解決しようとする課題】
【０００５】
アルバム作成においては、特定の人物や、笑顔などの特徴的な表情を含むシーンを抜き出したいという要望がある。しかしながら、動画データに含まれるフレーム数は膨大であり、ユーザが上述のように各フレームを見ながら所望のフレームを選択するのは時間がかかり、煩雑な操作が必要であった。特許文献２には、音声に注目してフレームを特定する技術が開示されているものの、特徴的な表情や特定の人物のシーンを抜き出すのは困難であった。
【０００６】
本発明は、上記に鑑みてなされたものであって、煩雑な操作を行うことなくユーザの希望する静止画データを抽出し写真アルバムとして出力することのできる画像形成装置、画像形成方法および画像形成プログラムを提供することを目的とする。
【課題を解決するための手段】
【０００７】
上述した課題を解決し、目的を達成するために、本発明は、画像形成装置であって、動画像データから、所定のフレームレートで静止画データを作成する作成手段と、前記作成手段により作成された前記静止画データを記憶する記憶手段と、ユーザから、所定の画像の検出指示を受け付ける第１受付手段と、前記記憶手段が記憶している前記静止画データから、前記第１受付手段が受け付けた前記検出指示に合致する前記静止画データを検索する検索手段と、前記検索手段により検出された前記検出指示に合致する一または複数の前記静止画データを表示する表示手段と、ユーザから、前記表示手段が表示した前記一または複数の前記静止画データのうちから所望の静止画データの選択を受け付ける選択受付手段と、前記選択受付手段を介してユーザにより選択された前記静止画データを前記動画データに対するアルバムとして出力する出力手段とを備えたことを特徴とする。
【０００８】
また、本発明は、画像形成装置で実行される画像形成方法であって、前記画像形成装置は記憶手段を備え、作成手段が、動画像データから、所定のフレームレートで静止画データを作成し、記憶手段に記憶する作成ステップと、第１受付手段が、ユーザから、所定の画像の検出指示を受け付ける第１受付ステップと、検索手段が、前記記憶手段が記憶している前記静止画データから、前記第１受付ステップにおいて受け付けた前記検出指示に合致する前記静止画データを検索する検索ステップと、表示手段が、前記検索ステップにおいて検出された前記検出指示に合致する一または複数の前記静止画データを表示する表示ステップと、選択受付手段が、ユーザから、前記表示ステップにおいて表示された前記一または複数の前記静止画データのうちから所望の静止画データの選択を受け付ける選択受付ステップと、出力手段が、前記選択受付ステップにおいてユーザにより選択された前記静止画データを前記動画データに対するアルバムとして出力する出力ステップとを有することを特徴とする。
【０００９】
また、本発明は、コンピュータに実行させるための画像形成プログラムであって、前記コンピュータは、記憶手段を備え、動画像データから、所定のフレームレートで静止画データを作成し、記憶手段に記憶する作成ステップと、ユーザから、所定の画像の検出指示を受け付ける第１受付ステップと、前記記憶手段が記憶している前記静止画データから、前記第１受付ステップにおいて受け付けた前記検出指示に合致する一または複数の前記静止画データを検索する検索ステップと、前記検索ステップにおいて検出された前記検出指示に合致する前記一または複数の前記静止画データを表示する表示ステップと、ユーザから、前記表示ステップにおいて表示された前記静止画データのうちから所望の静止画データの選択を受け付ける選択受付ステップと、前記選択受付ステップにおいてユーザにより選択された前記静止画データを前記動画データに対するアルバムとして出力する出力ステップとをコンピュータに実行させることを特徴とする。
【発明の効果】
【００１０】
本発明によれば、ユーザから所定の画像の検出指示を受け付け、検出指示に合致した静止画データを検索するので、動画データから自動的にユーザが抽出したい特徴をもつ静止画を抽出し、容易に写真アルバムを作成することができるという効果を有する。
【発明を実施するための最良の形態】
【００１１】
以下に添付図面を参照して、この発明にかかる画像形成装置、画像形成方法および画像形成プログラムの最良な実施の形態を詳細に説明する。
【００１２】
図１は、実施の形態にかかる画像形成装置１００のハードウェア構成を示すブロック図である。画像形成装置１００は、当該装置の制御等を行うためのＣＰＵ１０１と、操作画面の表示装置であるＬＣＤ１０２と、表示装置を制御するＬＣＤコントローラ（ＬＣＤＣ）１０３と、制御プログラム等を記憶しているＲＯＭ１０４と、ワークメモリとして使用しているＲＡＭ１０５と、印刷データを出力するプロッタ１０６と、プロッタを制御するプロッタコントローラ１０７と、キー１０８およびＬＥＤ１０９の制御を行うＧＰＩＯ１１０と、印刷データを保存する大容量記憶装置１１１と、ＬＡＮ回線などとの接続のためのネットワークインターフェース（ＮＷ／ＩＦ）１１２と、ＵＳＢホスト、ＳＤスロット等の外部記憶メディアＩ／Ｆ１１３とを備えている。
【００１３】
ＲＡＭ１０５は、ＲＯＭ１０４から読み出されたソフトウェアの実行と、それに伴う作業のための一時記憶領域としても用いられる。ＲＯＭ１０４は電気的に書き換えが可能な記憶媒体で、画像形成装置１００の機能を実現するためのソフトウェアが記憶されている。
【００１４】
図２は、画像形成装置１００のソフトウェア構成を示すブロック図である。画像形成装置１００を構成するソフトウェア２０は、利用者に対してユーザーインターフェースを提供するユーザーインターフェース層と、各アプリ機能を実現するためのアプリ層と、ハードウェアを制御してその機能を提供するためのサービス層とを有している。
【００１５】
ユーザーインターフェース層には、装置本体が持つ操作パネルにユーザーインターフェースを提供する機器ＵＩ２０１と、アプリケーションソフトのユーザインターフェースとして利用されるＷｅｂブラウザなどのＷｅｂＵＩ２０２とを有している。
【００１６】
アプリ層には、コピー機能を実現するためのコピーアプリ２１１と、ファクス機能を実現するためのファクスアプリ２１２と、プリンタ機能を実現するためのプリンタアプリ２１３と、スキャナ機能を実現するためのスキャナアプリ２１４とを有している。
【００１７】
サービス層には、プロッタ装置を制御する印刷サービス２２１と、ＬＣＤＣ１０３、キー１０８、ＬＥＤ１０９を制御する操作パネルサービス２２２と、ＮＷ／ＩＦ１１２を制御するネットワークサービス２２３と、ＲＡＭ１０５や大容量記憶装置１１１を管理するメモリサービス２２４とを有している。
【００１８】
図３は、画像形成装置１００によるアルバム作成処理を行うアルバム作成処理部３００の機能構成を示すブロック図である。アルバム作成処理部３００は、動画データ取得部３０２と、動画データ記憶部３０４と、静止画データ作成部３０６と、静止画データ記憶部３０８と、指示受付部３１０と、表示部３１２と、画像解析部３２０と、タイムスタンプ付与部３２２と、静止画データ選択部３２４と、レイアウト編集部３２６と、コメント編集部３２８と、アルバム作成部３３０と、出力部３３２とを有している。指示受付部３１０は、第１受付手段、第２受付手段、第３受付手段に対応する。画像解析部３２０は、検索手段に対応する。タイムスタンプ付与部３２２は、日時特定手段、描画手段に対応する。レイアウト編集部３２６は、サイズ調整手段に対応する。コメント編集部３２８は、コメント付与手段に対応する。
【００１９】
動画データ取得部３０２は、外部から動画データを取得する。動画データ記憶部３０４は、動画データ取得部３０２が取得した動画データを記憶する。静止画データ作成部３０６は、動画データ記憶部３０４に格納されている動画データから、所定のフレームレートで静止画データを作成する。なお、フレームレートは、ユーザにより任意に設定可能である。静止画データ記憶部３０８は、静止画データ作成部３０６により作成された静止画データを記憶する。指示受付部３１０は、ユーザから各種指示を受け付ける。表示部３１２は、ＬＣＤ１０２に各種情報を表示する。
【００２０】
画像解析部３２０は、指示受付部３１０を介して取得したユーザからの指示にしたがい、静止画データ記憶部３０８に記憶されている静止画データに対する画像解析を行う。具体的には、静止画データの中から特徴検出モジュールによりユーザが所望する静止画データを抽出する。なお、ここで抽出された静止画データは、表示部３１２に表示される。
【００２１】
タイムスタンプ付与部３２２は、静止画データ記憶部３０８に記憶されている静止画データにタイムスタンプを付与する。具体的には、処理対象となる静止画データが対応する動画データ中の先頭フレームから何番目のフレームか、すなわちフレーム数を特定する。そして、動画データの撮影開始日時と、処理対象となる静止画データのフレーム数と、フレームレートとに基づいて、処理対象となる静止画データの撮影日時を特定し、これをタイムスタンプとして付与する。
【００２２】
静止画データ選択部３２４は、指示受付部３１０を介して取得したユーザからの選択指示にしたがい、写真アルバムに含めるべき静止画データを選択する。レイアウト編集部３２６は、指示受付部３１０を介して取得したユーザからのレイアウト指示にしたがい、写真アルバムにおけるレイアウトを編集する。コメント編集部３２８は、指示受付部３１０を介して取得したユーザからのコメント指示に従い、各静止画データに追加するコメントの編集処理を行う。
【００２３】
アルバム作成部３３０は、レイアウト編集部３２６およびコメント編集部３２８の処理にしたがい、静止画データ選択部３２４により選択された静止画データを含む写真アルバムを作成する。出力部３３２は、アルバム作成部３３０により作成された写真アルバムを出力する。
【００２４】
図４は、アルバム作成処理部３００によるアルバム作成処理を示すフローチャートである。アルバム作成処理においては、まず、表示部３１２により、図５に示す写真アルバム設定画面４００がＬＣＤ１０２に表示される（ステップＳ１００）。写真アルバム設定画面４００には、読込ファイルを設定するエディットボックス４０１と、読み出しの実行を指示する読出実行ボタン４０２とが設けられている。
【００２５】
写真アルバム設定画面４００において、ユーザによりエディットボックス４０１に所望の動画データのファイル名が入力され、読出実行ボタン４０２が押下されると、静止画データ作成部３０６は、動画データ記憶部３０４からエディットボックス４０１に入力されたファイル名の動画データを読み出し、静止画データを作成する（ステップＳ１０２）。静止画データが作成されると、表示部３１２は、図６に示す静止画データの一覧画面４１０を表示する（ステップＳ１０４）。
【００２６】
一覧画面４１０には、静止画表示部４１１と、候補検索リストボックス４１２と、検索ボタン４１３と、ＯＫボタン４１４と、レイアウト設定ボタン４１５とが設けられている。静止画表示部４１１には、写真アルバム設定画面４００において指定された動画データに含まれるすべての静止画データが一覧表示される。なお、本実施の形態においては、スクロール機能により一覧表示される。
【００２７】
ユーザは、静止画表示部４１１に表示する静止画データを絞り込みたい場合には（ステップＳ１０６，Ｙｅｓ）、候補検索リストボックス４１２において検索条件を設定し、検索ボタン４１３を押下する。
【００２８】
候補検索リストボックス４１２において、人物検出が検索条件として設定された場合には、検索ボタン４１３が押下されると、表示部３１２は、図７に示すテンプレート登録画面４２０を表示する。テンプレート登録画面４２０の静止画表示部４２１には、すべての静止画データを表示することができる。
【００２９】
ユーザは、画像選択ボタン４２３を操作して特定したい人物の顔が表示されている静止画データを選択し、決定ボタン４２４を押下する。これにより、選択した静止画データが静止画表示部４２１に表示される。さらに、静止画表示部４２１に表示された静止画データ上には、枠線４２２が表示される。
【００３０】
ユーザが枠線４２２内に特定したい人物の顔が収まるように、枠サイズ４２５および枠位置４２６を調整し、抽出ボタン４２７を押下すると、画像解析部３２０は、選択された人物のテンプレートを作成する。そして、画像解析部３２０は、テンプレートを標準パターンとして、全静止画データの中に抽出したいパターンと同じもの又は近いパターンがあるかパターンマッチングを実施し、検索対象に合致する静止画データを抽出する。
【００３１】
候補検索リストボックス４１２において、笑顔検出が検索条件として設定された場合も同様であり、ユーザは、テンプレート登録画面４２０において、検索対象とすべき人物の笑顔のシーンを検索し、枠線４２２により笑顔の人物を選択する。これにより、画像解析部３２０は、選択された人物の笑顔テンプレートを作成し、これを元にパターンマッチングを行う。なお、テンプレート登録画面４２０において、笑顔以外の特徴的な表情を選択し、検索対象としてもよい。これにより、ユーザの希望に沿った表情の静止画データを検索することができる。
【００３２】
候補検索リストボックス４１２において、範囲指定が検索条件として設定された場合には、検索ボタン４１３が押下されると、表示部３１２は、図８に示す範囲指定画面４３０を表示する。範囲指定画面４３０において、ユーザは、日時入力欄４３１，４３２に抽出したい範囲の日時を入力することにより、検索条件を設定することができる。日時が入力され、抽出ボタン４３３が押下されると、タイムスタンプ付与部３２２は、各静止画データにタイムスタンプを付与し、検索条件に合致するタイムスタンプが付与された静止画データを抽出する。
【００３３】
以上のように、各検索条件による検索が行われ、静止画データが絞り込まれると（ステップＳ１０８）、再び一覧画面４１０に戻り、検索条件に合致する静止画データが表示される。なお、静止画データの絞込みを行わない場合には（ステップＳ１０６，Ｎｏ）、絞込みを行わずにステップＳ１１０へ進む。
【００３４】
次に、ユーザはアルバムに含めるべき静止画データを選択し、ＯＫボタン４１４を押下する。これにより、ユーザにより選択された静止画データが写真アルバムに含めるべきデータとして、静止画データ選択部３２４により、静止画データ記憶部３０８から読み出される（ステップＳ１１０）。
【００３５】
次に、ユーザにより一覧画面４１０において、レイアウト設定ボタン４１５が押下されると、図９に示すレイアウト設定画面４４０が表示される。レイアウト編集部３２６は、レイアウト設定画面４４０におけるユーザからの入力内容に応じてレイアウトを編集する（ステップＳ１１２）。
【００３６】
ユーザは、レイアウト設定画面４４０の入力欄４４１に１ページ中に表示する画像枚数を入力する。図１０は、レイアウト例を示す図である。このように、レイアウト設定画面４４０において指定された画像枚数に応じて画像枚数が配置される。
【００３７】
さらに、ユーザは、付加情報チェック欄４４２，４４３，４４４において、各ページに対する付加情報として、ヘッダ、フッダおよびページ番号の有無を設定する。さらに、ヘッダおよびフッダに入力する入力内容を各入力欄４４８，４４９に入力する。
【００３８】
図１１は、ヘッダおよびフッダの表示例を示す図である。レイアウト編集部３２６は、ヘッダおよびフッダの少なくとも一方が設定された場合には、静止画データが表示される領域にヘッダおよびフッダが重ならないように、静止画データのサイズを自動調整する。ヘッダおよびフッダに表示される色や文字サイズなどのフォントは別途設定することができる。さらに、ヘッダおよびフッダとして画像を表示してもよい。
【００３９】
また、ユーザは、付加情報チェック欄４４５，４４６において、各画像に対する付加情報としてタイムスタンプおよびコメントの有無をチェックする。タイムスタンプが選択された場合には、タイムスタンプ付与部３２２は、静止画データ選択部３２４により選択された静止画データにタイムスタンプを付与する。図１２は、タイムスタンプが付与された静止画データを示す図である。このように、静止画データ中にタイムスタンプが描画される。なお、タイムスタンプの表示位置も設定可能としてもよい。
【００４０】
コメントが選択された場合にはレイアウト設定画面４４０において決定ボタン４５０が押下されると、図１３に示すコメント設定画面４６０が表示される。コメント編集部３２８は、コメント設定画面４６０におけるユーザからの入力内容に応じてコメントを編集する（ステップＳ１１４）。
【００４１】
コメント設定画面４６０においては、画像表示部４６１に一覧画面４１０において選択された静止画データが表示される。ユーザは、画像選択ボタン４６２を操作して、処理対象となる静止画データを選択する。さらに、ユーザは、コメント有無のチェックボックス４６３、コメント位置入力欄４６４、コメント内容入力欄４６５においてコメントの詳細を入力し、登録ボタン４６６を押下する。コメント編集部３２８は、これらの入力にしたがいコメントを登録する。
【００４２】
図１４は、コメントが描画された静止画データを示す図である。コメント編集部３２８は、コメント位置が静止画データの下、上など静止画データの外である場合には、指定通り静止画データの下、上など周囲にコメントを配置する。コメント位置として静止画データに重ねて表示が選択された場合には、コメント編集部３２８は、図１４に示すように、静止画データ上にコメントを重ねて配置する。さらに、対象となる静止画データにおいて人物検出が行われている場合には、対象となった人物からコメントの引き出し線を描画する。さらに、顔画像を認識し、顔にコメント表示が重ならないようにコメント枠の位置を自動調整する。
【００４３】
顔認識においては、例えば、顔に関するいくつかの標準顔パターンを定義しておく。そして、１つの入力映像に対して定義された複数の標準顔パターンをマッチングする。すなわち、入力映像と各標準顔パターンとを一対一でマッチングさせ、最も正確に整合する入力映像の部分を顔として判別する。顔認識技術を用いて、顔の位置を特定し、コメントを「吹き出し」として配置してもよい。
【００４４】
すべての静止画データに対するコメントの登録が終了し、ユーザにより決定ボタン４６７が押下されると、アルバム作成部３３０は、ユーザによって指定された内容にしたがい、写真アルバムを作成する（ステップＳ１１６）。具体的には、静止画データ選択部３２４が選択した静止画データを含め、タイムスタンプ付与部３２２、レイアウト編集部３２６およびコメント編集部３２８の処理にしたがい写真アルバムを編集する。
【００４５】
次に、表示部３１２は、図１５に示す印刷プレビュー画面４７０を表示する（ステップＳ１１８）。ユーザが印刷プレビュー画面４７０に示される写真アルバム４７１を確認し、印刷ボタン４７２を押下すると、出力部３３２は、アルバム作成部３３０により作成された写真アルバムを出力する（ステップＳ１２０）。以上により、アルバム作成処理が完了する。
【００４６】
実施の形態にかかる画像形成装置のアルバム作成部で実行されるアルバム作成プログラムを、インターネット等のネットワークに接続されたコンピュータ上に格納し、ネットワーク経由でダウンロードさせることにより提供するように構成しても良い。また、画像形成装置で実行されるアルバム作成プログラムをインターネット等のネットワーク経由で提供または配布するように構成しても良い。また、本実施の形態のアルバム作成プログラムを、ＲＯＭ等に予め組み込んで提供するように構成してもよい。
【００４７】
本実施の形態の画像形成装置１００で実行されるアルバム作成プログラムは、上述した各部（動画データ取得部、動画データ記憶部と、静止画データ作成部、静止画データ記憶部、指示受付部、表示部、画像解析部、タイムスタンプ付与部、静止画データ選択部、レイアウト編集部、コメント編集部、アルバム作成部、出力部）を含むモジュール構成となっており、実際のハードウェアとしてはＣＰＵ（プロセッサ）が上記記憶媒体からアルバム作成プログラムを読み出して実行することにより上記各部が主記憶装置上にロードされ、動画データ取得部、動画データ記憶部と、静止画データ作成部、静止画データ記憶部、指示受付部、表示部、画像解析部、タイムスタンプ付与部、静止画データ選択部、レイアウト編集部、コメント編集部、アルバム作成部、出力部が主記憶装置上に生成されるようになっている。
【図面の簡単な説明】
【００４８】
【図１】画像形成装置１００のハードウェア構成を示すブロック図である。
【図２】画像形成装置１００のソフトウェア構成を示すブロック図である。
【図３】アルバム作成処理部３００の機能構成を示すブロック図である。
【図４】アルバム作成処理部３００によるアルバム作成処理を示すフローチャートである。
【図５】アルバム設定画面４００を示す図である。
【図６】一覧画面４１０を示す図である。
【図７】テンプレート登録画面４２０を示す図である。
【図８】範囲指定画面４３０を示す図である。
【図９】レイアウト設定画面４４０を示す図である。
【図１０】レイアウト例を示す図である。
【図１１】ヘッダおよびフッダの表示例を示す図である。
【図１２】タイムスタンプが付与された静止画データを示す図である。
【図１３】コメント設定画面４５０を示す図である。
【図１４】コメントが描画された静止画データを示す図である。
【図１５】印刷プレビュー画面４６０を示す図である。
【符号の説明】
【００４９】
１００  画像形成装置
１０１  ＣＰＵ
１０２  ＬＣＤ
１０３  ＬＣＤＣ
１０４  ＲＯＭ
１０５  ＲＡＭ
１０６  プロッタ
１０７  プロッタコントローラ
１０８  キー
１０９  ＬＥＤ
１１０  ＧＰＩＯ
１１１  大容量記憶装置
１１２  ＮＷ／ＩＦ
１１３  外部記憶メディア
２０１  機器ＵＩ
２０２  ＷｅｂＵＩ
２１１  コピーアプリ
２１２  ファクスアプリ
２１３  プリンタアプリ
２１４  スキャナアプリ
２２１  印刷サービス
２２２  操作パネルサービス
２２３  ネットワークサービス
２２４  メモリサービス
３００  アルバム作成処理部
３０２  動画データ取得部
３０４  動画データ記憶部
３０６  静止画データ作成部
３０８  静止画データ記憶部
３１０  指示受付部
３１２  表示部
３２０  画像解析部
３２２  タイムスタンプ付与部
３２４  静止画データ選択部
３２６  レイアウト編集部
３２８  コメント編集部
３３０  アルバム作成部
３３２  出力部
【図１】
2010068347.tif 000003
【図２】
2010068347.tif 000004
【図３】
2010068347.tif 000005
【図４】
2010068347.tif 000006
【図５】
2010068347.tif 000007
【図６】
2010068347.tif 000008
【図７】
2010068347.tif 000009
【図８】
2010068347.tif 000010
【図９】
2010068347.tif 000011
【図１０】
2010068347.tif 000012
【図１１】
2010068347.tif 000013
【図１２】
2010068347.tif 000014
【図１３】
2010068347.tif 000015
【図１４】
2010068347.tif 000016
【図１５】
2010068347.tif 000017